(57)【要約】【課題】所望の画面を簡単な操作で表示させることができ操作性の向上を図る上で有利なナビゲーション装置を提供する。【解決手段】制御部３４は、画面切り替えボタン５２が接触操作される毎に、第１画面Ｄ１、第２画面Ｄ２、第３画面Ｄ３をこの順番で循環して切り替えて表示させる第１表示動作を実行する。制御部３４は、第１表示動作と同時に第１画面Ｄ１、第２画面Ｄ２、第３画面Ｄ３のそれぞれを直接選択するための各画面選択ボタン６２、６４、６６を含むポップアップメニュー６０を表示画面２４Ａに表示させる第２表示動作を実行する。制御部３４は、第２表示動作で表示画面２４Ａに表示された各画面選択ボタン６２、６４、６６への接触操作に応じて第１画面Ｄ１、第２画面Ｄ２、第３画面Ｄ３のうちの１つの画面を選択して表示画面２４Ａに表示させる第３表示動作を行う。【選択図】図６
2010173374.tif 000002
【特許請求の範囲】
【請求項１】
表示画面を有する表示部と、
前記表示画面に設けられたタッチパネルと、
前記タッチパネルへの接触操作に応じて、第１画面、第２画面、第３画面を選択的に切り替えて前記表示画面に表示させる表示制御部とを備え、
前記第１画面、第２画面、第３画面は、画面切り替えボタンを表示する操作ボタン表示領域を有し、
前記表示制御部は、
前記画面切り替えボタンが接触操作される毎に、前記第１画面、第２画面、第３画面を予め定められた順番で循環して切り替えて表示させる第１表示動作と、
前記第１表示動作と同時に、前記第１画面、第２画面、第３画面のそれぞれを直接選択するための第１画面選択ボタン、第２画面選択ボタン、第３画面選択ボタンを含むポップアップメニューを前記表示画面に表示させる第２表示動作と、
前記第２表示動作で前記表示画面に表示された前記第１画面選択ボタン、第２画面選択ボタン、第３画面選択ボタンへの接触操作に応じて前記第１画面、第２画面、第３画面のうちの１つの画面を選択して前記表示画面に表示させる第３表示動作とを行う、
ナビゲーション装置。
【請求項２】
前記ポップアップメニューは、前記操作ボタン表示領域外の前記表示画面の箇所に表示される、
請求項１記載のナビゲーション装置。
【請求項３】
前記操作ボタン表示領域には、前記画面切り替えボタンに加えて、接触操作されることで、前記第１画面、第２画面、第３画面のうち前記表示画面に表示されている画面に関連付けられた動作を実行する１つ以上の操作ボタンが表示され、
前記画面切り替えボタン表示領域は、前記第１画面、第２画面、第３画面の何れの画面においても前記表示画面上における同一箇所に表示され、
前記画面切り替えボタンは、前記第１画面、第２画面、第３画面の何れの前記画面切り替えボタン表示領域においても前記表示画面上における同一箇所に表示される、
請求項１記載のナビゲーション装置。
【請求項４】
前記制御部は、前記第２表示動作によって前記ポップアップメニューを表示する際、前記第１画面選択ボタン、第２画面選択ボタン、第３画面選択ボタンのうち、前記第１表示動作によって切り替えて表示させている画面に対応する画面選択ボタンを前記表示画面にフォーカス表示する、
請求項１記載のナビゲーション装置。
【請求項５】
前記第１画面選択ボタン、第２画面選択ボタン、第３画面選択ボタンは、前記第１画面、第２画面、第３画面のそれぞれに関連付けられたアイコンおよび文字の少なくとも一方を含む、
請求項１記載のナビゲーション装置。
【請求項６】
前記第１画面は、前記操作ボタン表示領域に加え、地図を表示する地図表示領域と、車の進行方向を案内する案内情報を表示する案内表示領域とを有し、
前記第２画面は、前記操作ボタン表示領域に加え、テレビジョン放送の受信映像を表示するテレビジョン放送表示領域とを有し、
前記第３画面は、前記操作ボタン表示領域に加えて、前記テレビジョン放送表示領域と、前記案内表示領域とを有する、
請求項１記載のナビゲーション装置。
【発明の詳細な説明】
【技術分野】
【０００１】
本発明はナビゲーション装置に関する。
【背景技術】
【０００２】
表示画面を有する表示部と、表示画面を覆うタッチパネルと、タッチパネルへの接触操作に応じて、複数の画面を選択的に切り替えて表示画面に表示させるナビゲーション装置が提供されている（特許文献１、２参照）。
【先行技術文献】
【特許文献】
【０００３】
【特許文献１】特開２００５−９６５９６
【特許文献２】特開２００８−９０３７６
【発明の概要】
【発明が解決しようとする課題】
【０００４】
しかしながら、複数の画面を選択的に切り替える際には、画面を切り替えるための操作ボタンを繰り返して接触操作しなくてはならない。
そのため、所望の画面が表示されるまで操作ボタンを繰り返して接触操作しなくてはならない不利がある。また、接触操作を繰り返して速く行うと接触操作を誤り、所望の画面と異なる画面が表示される不具合がある。このようなことからナビゲーション装置の使い勝手の向上を図ることが臨まれていた。
本発明はこのような事情に鑑みなされたものであり、その目的は、所望の画面を簡単な操作で表示させることができ操作性の向上を図る上で有利なナビゲーション装置を提供することにある。
【課題を解決するための手段】
【０００５】
上述の目的を達成するため、本発明のナビゲーション装置は、表示画面を有する表示部と、前記表示画面に設けられたタッチパネルと、前記タッチパネルへの接触操作に応じて、第１画面、第２画面、第３画面を選択的に切り替えて前記表示画面に表示させる表示制御部とを備え、前記第１画面、第２画面、第３画面は、画面切り替えボタンを表示する操作ボタン表示領域を有し、前記表示制御部は、前記画面切り替えボタンが接触操作される毎に、前記第１画面、第２画面、第３画面を予め定められた順番で循環して切り替えて表示させる第１表示動作と、前記第１表示動作と同時に、前記第１画面、第２画面、第３画面のそれぞれを直接選択するための第１画面選択ボタン、第２画面選択ボタン、第３画面選択ボタンを含むポップアップメニューを前記表示画面に表示させる第２表示動作と、前記第２表示動作で前記表示画面に表示された前記第１画面選択ボタン、第２画面選択ボタン、第３画面選択ボタンへの接触操作に応じて前記第１画面、第２画面、第３画面のうちの１つの画面を選択して前記表示画面に表示させる第３表示動作とを行う。
【発明の効果】
【０００６】
本発明によれば、画面切り替えボタンの接触操作を行うことで表示されるポップアップメニューの第１画面選択ボタン、第２画面選択ボタン、第３画面選択ボタンから１つの画面選択ボタンを選択して接触操作することで所望の画面を表示させることができる。
【図面の簡単な説明】
【０００７】
【図１】実施の形態のナビゲーション装置１０が車室内に設置された状態を示す説明図である。
【図２】実施の形態のナビゲーション装置１０の構成を示すブロック図である。
【図３】第１表示画面Ｄ１の説明図である。
【図４】第２表示画面Ｄ２の説明図である。
【図５】第３表示画面Ｄ３の説明図である。
【図６】第１表示画面Ｄ１の上にポップアップメニュー６０が重ねて表示された状態を示す説明図である。
【図７】第２表示画面Ｄ２の上にポップアップメニュー６０が重ねて表示された状態を示す説明図である。
【図８】第３表示画面Ｄ３の上にポップアップメニュー６０が重ねて表示された状態を示す説明図である。
【図９】画面切り替え動作を示すフローチャートである。
【発明を実施するための形態】
【０００８】
次に、本発明の実施の形態について図１乃至図９を参照して説明する。
本実施の形態では、ナビゲーション装置１０が携帯可能なナビゲーション装置（ＰＮＤ（Personal Navigation Device）である場合について説明する。
図１において符号２は車室、符号４はフロントガラス、符号６はステアリング、符号８はダッシュボードを示している。
図１に示すように、ナビゲーション装置１０は、車載用クレードル１２に着脱可能に装着されており、ナビゲーション装置１０は車載用クレードル１２を介して車室２に取り付けられる。
車載用クレードル１２の下部には吸盤装置１２０２が設けられ、この吸盤装置１２０２をダッシュボード８に吸着させることで、車載用クレードル１２が車室２に取り外し可能に取り付けられる。
ナビゲーション装置１０を車載用クレードル１２に装着することにより、ナビゲーション装置１０は車載用クレードル１２と共に車載用のナビゲーション装置として機能する。
また、ナビゲーション装置１０を車載用クレードル１２から取り外して持ち運ぶことにより、ナビゲーション装置１０は携帯用のナビゲーション装置として機能する。
【０００９】
図２に示すように、車載用クレードル１２は、ビーコン用インターフェース１２Ａ、オーディオ用インターフェース１２Ｂを有している。
ビーコン用インターフェース１２Ａは、車室２に搭載されたビーコンユニット１４に接続されている。
ビーコンユニット１４は、道路交通情報通信システム（VICS:Vehicle Information and Communication System）の交通情報を受信するものである。
クレードル側インターフェース１２Ａは、ビーコンユニット１４から供給される交通情報をナビゲーション装置１０に供給する。
オーディオ用インターフェース１２Ｂは、車室２に搭載されたカーオーディオ装置１５に接続されている。
オーディオ用インターフェース１２Ｂは、後述する出力部３２から供給される音声信号をカーオーディオ装置１５に供給するものである。
【００１０】
ナビゲーション装置１０は、ナビゲーション装置側インターフェース１６と、ＧＰＳ部１８と、内蔵メモリ２０と、ワンセグチューナー２２と、表示部２４と、タッチパネル２６を含んで構成されている。
ナビゲーション装置１０は、さらに、メモリカード用インターフェース２８と、メモリカードスロット３０と、出力部３２と、制御部３４などを含んで構成されている。
これら各部１６、１８、２０、２２、２４、２６、２８、３０、３２、３４は、バス３６を介して接続されている。
【００１１】
ナビゲーション装置側インターフェース１６は、ナビゲーション装置１０が車載用クレードル１２に装着された状態で、クレードル側インターフェース１２Ａに接続される。
この状態で、ナビゲーション装置側インターフェース１６は、クレードル側インターフェース１２Ａを介してビーコンユニット１４から供給される交通情報を受け取り、制御部３０に供給するものである。
【００１２】
ＧＰＳ部１８は、ＧＰＳアンテナ１８ＡおよびＧＰＳ処理部１８Ｂを含んで構成されている。
ＧＰＳ処理部１８Ｂは、ＧＰＳ衛星から送信される測位用電波をＧＰＳアンテナ１８Ａを介して受信し、受信した測位用電波を基に、ナビゲーション装置１０の位置を検出し、当該位置を示す位置データを生成するものである。
【００１３】
内蔵メモリ２０は、フラッシュＲＯＭ２０Ａ，ＲＡＭ２０Ｂ、ＲＯＭ２０Ｃを含んで構成されている。
フラッシュＲＯＭ２０Ａは、後述する制御部３０のＣＰＵが実行する制御プログラムなどを記憶するものである。
ＲＡＭ２０Ｂは、前記ＣＰＵの処理に用いられるデータを記憶するものである。
ＲＯＭ２０Ｃは、表示部２４に表示するさまざまなデータを記憶するものである。
表示部２４に表示するデータは、ナビゲーション用の地図データ、メニュー画面などを構成する文字データ、画像データを含むものである。言い換えると、表示部２４にそれらデータが表示されることで後述する第１画面Ｄ１、第２画面Ｄ２、第３画面Ｄ４、ポップアップメニュー６０（図３乃至図８参照）が構成される。
なお、ＲＯＭ２０Ｃに代えて、ハードディスク装置やＣＤ−ＲＯＭ、ＤＶＤ−ＲＯＭなどの記録媒体を用いるなど任意である。
【００１４】
ワンセグチューナー２２は、地上デジタル放送の放送電波を受信してテレビジョン放送の映像信号、音声信号を再生するものである。
【００１５】
表示部２４は表示画面２４Ａ（図３参照）を有し、制御部３０から供給される表示データに基づいて画面表示を行うものである。
本実施の形態では、表示部２４は液晶表示装置で構成されているが、表示部２４としては有機ＥＬ表示装置など従来公知のさまざまな表示装置が採用可能である。
【００１６】
タッチパネル２６は、表示部２４の表示画面２４Ａを覆い、該タッチパネル２６に対する接触操作により使用者の操作入力を受け付けるものである。
タッチパネル２６は、例えば２枚の透明なＰＥＴフィルムと、その２枚のフィルム間に透明電極フィルムを形成した、いわゆるフィルム−フィルムタイプのタッチパネルなど、従来公知のさまざまな構造が採用可能である。
タッチパネル２６は、表示画面２４Ａの全域を覆う大きさを有し、表示画面２４Ａに重ね合わされて接着剤などによって接着されて表示部２４と一体的に設けられている。
なお、表示画面２４Ａの一部がタッチパネル２６で覆われており、したがって、表示画面２４Ａの残りの部分がタッチパネル２６で覆われていない不感帯として構成されていてもよいことは無論である。
【００１７】
メモリカード用インターフェース２８は、メモリカードスロット３０に装着されたメモリカード３１に対するデータの記録およびメモリカード３１からのデータの読み出しを行うものである。
メモリカード３１には、ナビゲーション装置１０によって利用される種々のデータが格納されている。
このようなデータとしては、音楽などの音声信号、あるいは、静止画や動画などの映像信号などのコンテンツデータがある。
【００１８】
出力部３２は、メモリカード３１からメモリカード用インターフェース２８を介して読み出された音声信号が供給されることにより、該音声信号をオーディオ用インターフェース１２Ｂに供給する。
また、出力部３２は、ワンセグチューナー２２から供給される音声信号をオーディオ用インターフェース１２Ｂに供給する。
これにより、カーオーディオ装置１５により音楽あるいはテレビジョン放送の音声が再生される。
【００１９】
制御部３４はＣＰＵを有し、このＣＰＵがフラッシュＲＯＭ２０Ａに格納される制御プログラムを実行することで機能する。また、制御部３４は、タッチパネル２６の接触操作に応じて動作する。
制御部３４は、グラフィックコントローラやビデオＲＡＭなどを含んで構成されている。
グラフィックコントローラは、ＣＰＵの制御に基づいて、ＲＯＭ２０Ｃから読み出した地図データ、文字データ、画像データを用いてグラフィク処理を行って表示データを生成し、これを表示部２４に供給するものである。
ビデオＲＡＭは、グラフィックコントローラで処理された表示データを一時的に格納するものである。
制御部３４は、ＧＰＳ処理部１８Ｂから供給される位置データおよびＲＯＭ２０Ｃから供給される地図データ、文字データ、画像データを基に、表示部２４に地図、あるいは、メニュー画面を表示させる。
すなわち、制御部３４が制御プログラムを実行することにより、表示部２４の表示画面２４Ａに、自車両の位置を示す現在位置が地図データと共に表示され、目的地へのナビゲーションがなされる。
【００２０】
また、制御部３４は、メモリカード３１から供給される音声信号を出力部３２に供給し、あるいは、メモリカード３１から供給される映像信号に基づく映像を表示部２４に表示させる。
また、制御部３４は、ワンセグチューナー２２から供給される映像信号に基づく受信映像を表示部２４に表示させる。
すなわち、制御部３４が制御プログラムを実行することにより、ワンセグチューナー２２から供給されるコンテンツデータ、あるいは、メモリカード３１から供給されるコンテンツデータの使用者への提供がなされる。
なお、本実施の形態では、制御部３４が特許請求の範囲の表示制御部を構成している。
【００２１】
次に、表示部２４の表示画面２４Ａに表示される画面について詳細に説明する。
なお、説明を簡略化するため、表示部２４の表示画面２４Ａには、第１画面、第２画面、第３画面の３つの画面のうち何れか１つの画面が表示されるものとする。
【００２２】
図３に示すように、第１画面Ｄ１は、地図表示領域４０と、案内表示領域４２と、操作ボタン表示領域４４とを有している。
地図表示領域４０は、道路や施設を示す画像（アイコン）、地名や施設名を示す文字を含む地図４６を表示する表示領域である。
また、地図表示領域４０には、自車両の位置と進行方向を示す矢印マーク４８が地図４６上に表示される。
本実施の形態では、第１画面Ｄ１において、地図表示領域４０は、長方形状を呈し第１画面Ｄ１の左上に位置している。
具体的には、地図表示領域４０は、表示画面２４Ａの幅方向の約２／３を占め、表示画面２４Ａの高さ方向の約９／１０を占めている。
【００２３】
案内表示領域４２は、ナビゲーションを行うための案内情報、すなわち、車の進行方向を案内する案内情報５０を表示する表示領域である。
本実施の形態では、案内情報５０は、交差点の名称５００１、交差点における進行方向を示す矢印５００２、その交差点までの距離５００４、その交差点から次の交差点までの距離５００６、次の交差点における進行方向を示す矢印５００８を含む。
また、案内情報５０は、現在位置から目的地までの到着予定時刻５０１０、現在位置から目的地までの距離５０１２を含む。
また、本実施の形態では、第２画面Ｄ２において、案内表示領域４２は、長方形状を呈し第１画面Ｄ１の右上に位置している。
具体的には、案内表示領域４２は、地図表示領域４０の右側に位置し、表示画面２４Ａの幅方向の残りの約１／３を占め、地図表示領域４０と同じく表示画面２４Ａの高さ方向の約９／１０を占めている。
【００２４】
操作ボタン表示領域４４は、画面切り替えボタン５２が表示される表示領域である。
本実施の形態では、第１画面Ｄ１において、操作ボタン表示領域４４は、画面切り換えボタン５２に加えて、第１画面Ｄ１に関連付けられた１つ以上の操作ボタン５４が表示される。
言い換えると、操作ボタン表示領域４４には、接触操作されることで、第１画面Ｄ１に表示されている画面に関連付けられた動作を実行する１つ以上の操作ボタン５４が表示される。
画面切り替えボタン５２は、該画面切り替えボタン５２が接触操作される毎に、第１画面Ｄ１、第２画面Ｄ２、第３画面Ｄ３を予め定められた順番で循環して切り替えて表示させる第１表示動作を制御部３４に実行させるためのものである。
本実施の形態では、第１画面Ｄ１において表示される操作ボタン５４は、音量ボタン５４０２、ガイドボタン５４０４、地点ボタン５４０６、縮尺ボタン５４０８を含む。
音量ボタン５４０２は、音声ガイダンスの音量を調整する際に操作される操作ボタンである。
ガイドボタン５４０４は、ナビゲーション時のガイド方法を設定する際に操作される操作ボタンである。
地点ボタン５４０６は、目的地を設定する際に操作される操作ボタンである。
縮尺ボタン５４０８は、地図４６の縮尺を設定する際に操作される操作ボタンである。
なお、符号５５Ａは、第１画面Ｄ１において、ワンセグチューナー２２で受信されたテレビジョン放送の映像が非表示状態であることを示すアイコンを示し、このアイコン５５Ａは操作ボタン表示領域４４に表示されている。
本実施の形態では、操作ボタン表示領域４４は、帯状を呈し第１画面Ｄ１の最下部に位置している。
具体的には、操作ボタン表示領域４４は、均一の高さで表示画面２４Ａの幅方向の全長にわたって延在し、表示画面２４Ａの高さ方向の残り約１／１０を占めている。
この操作ボタン表示領域４４に、アイコン５５、音量ボタン５４０２、ガイドボタン５４０４、地点ボタン５４０６、画面切り替えボタン５２、縮尺ボタン５４０８がこの順番で左から右に並べられて配置されている。
【００２５】
図４に示すように、第２画面Ｄ２は、テレビジョン放送表示領域５６と、案内表示領域４２と、操作ボタン表示領域４４とを有している。
テレビジョン放送表示領域５６は、テレビジョン放送の受信映像を表示するものである。
本実施の形態では、第２画面Ｄ２において、テレビジョン放送表示領域５６は、長方形状を呈し第２画面Ｄ２の幅方向の全域に延在し、表示画面２４Ａの高さ方向の約９／１０を占めている。
【００２６】
操作ボタン表示領域４４は、第１画面Ｄ１と同様に画面切り替えボタン５２が表示される表示領域である。
本実施の形態では、第２画面Ｄ２において、操作ボタン表示領域４４は、画面切り換えボタン５２に加えて、第２画面Ｄ２に関連付けられた１つ以上の操作ボタン５４が表示される。
言い換えると、操作ボタン表示領域４４は、接触操作されることで、第２画面Ｄ２に表示されている画面に関連付けられた動作を実行する１つ以上の操作ボタン５４を有している。
本実施の形態では、第２画面Ｄ２において表示される操作ボタン５４は、電源ボタン５４１０、音量ボタン５４１２、チャンネルアップボタン５４１４、チャンネルダウンボタン５４１６、オプションボタン５４１８を含む。
電源ボタン５４１０は、ナビゲーション装置１０の電源をオフする際に操作される操作ボタンである。
音量ボタン５４１２は、テレビジョン放送の受信音声の音量を調整する際に操作される操作ボタンである。
チャンネルアップボタン５４１４は、テレビジョン放送で受信するチャンネルを高い数字のチャンネルに変更する際に操作される操作ボタンである。
チャンネルダウンボタン５４１６は、テレビジョン放送のチャンネルを低い数字のチャンネルに変更する際に操作される操作ボタンである。
オプションボタン５４１８は、テレビジョン放送の視聴に係わる種々の設定を行う際に操作される操作ボタンである。
操作ボタン表示領域４４は、第１画面Ｄ１の場合と同様の大きさと位置で表示画面２４Ａに配置されている。
この操作ボタン表示領域４４に、電源ボタン５４１０、音量ボタン５４１２、チャンネルアップボタン５４１４、チャンネルダウンボタン５４１６、オプションボタン５４１８がこの順番で左から右に並べられて配置されている。
【００２７】
図５に示すように、第３画面Ｄ３は、テレビジョン放送表示領域５６と、案内表示領域４２と、操作ボタン表示領域４４とを有している。
本実施の形態では、第３画面Ｄ３において、テレビジョン放送表示領域５６は、長方形状を呈し第３画面Ｄ３の左上に位置している。
具体的には、テレビジョン放送表示領域５６は、表示画面２４Ａの幅方向の約２／３を占め、表示画面２４Ａの高さ方向の約９／１０を占めている。
【００２８】
本実施の形態では、第３画面Ｄ３において、案内表示領域４２は、長方形状を呈し第１画面Ｄ１の右上に位置している。
具体的には、案内表示領域４２は、テレビジョン放送表示領域５６の右側に位置し、表示画面２４Ａの幅方向の残りの約１／３を占め、テレビジョン放送表示領域５６と同じく表示画面２４Ａの高さ方向の約９／１０を占めている。
【００２９】
操作ボタン表示領域４４は、第１画面Ｄ１、第２画面Ｄ２と同様に画面切り替えボタン５２が表示される表示領域である。
本実施の形態では、第３画面Ｄ３において、操作ボタン表示領域４４は、画面切り換えボタン５２に加えて、第３画面Ｄ３に関連付けられた１つ以上の操作ボタン５４が表示される。
言い換えると、操作ボタン表示領域４４は、接触操作されることで、第３画面Ｄ３に表示されている画面に関連付けられた動作を実行する１つ以上の操作ボタン５４を有している。
本実施の形態では、第３画面Ｄ３において表示される操作ボタン５４は、図４に示す第２画面Ｄ２と同様であり、電源ボタン５４１０、音量ボタン５４１２、チャンネルアップボタン５４１４、チャンネルダウンボタン５４１６、オプションボタン５４１８を含む。
操作ボタン表示領域４４は、第１画面Ｄ１の場合と同様の大きさと位置で表示画面２４Ａに配置されている。
第２画面Ｄ２と同様に、この操作ボタン表示領域４４に、電源ボタン５４１０、音量ボタン５４１２、チャンネルアップボタン５４１４、チャンネルダウンボタン５４１６、オプションボタン５４１８がこの順番で左から右に並べられて配置されている。
【００３０】
図３、図４、図５に示すように、操作ボタン表示領域４４は、第１画面Ｄ１、第２画面Ｄ２、第３画面Ｄ３の何れの画面においても表示画面２４Ａ上における同一箇所に表示される。
また、画面切り替えボタン５２は、第１画面Ｄ１、第２画面Ｄ２、第３画面Ｄ３の何れの操作ボタン表示領域４４においても表示画面２４Ａ上における同一箇所に表示される。
【００３１】
次に、図６、図７、図８を参照してポップアップメニュー６０について説明する。
ポップアップメニュー６０は、後述するように画面切り替えボタン５２を接触操作することにより、第１画面Ｄ１、第２画面Ｄ２、第３画面Ｄ３のそれぞれに表示される。
本実施の形態では、ポップアップメニュー６０は、表示画面２４Ａの幅方向のほぼ全域を占め、表示画面２４Ａの高さ方向の約１／２を占めている。
詳細には、図６に示すように、ポップアップメニュー６０は、地図表示領域４０および案内表示領域４２の大部分を覆うように表示画面２４Ａに表示される。
また、図７に示すように、ポップアップメニュー６０は、テレビジョン放送表示領域５６の大部分を覆うように表示画面２４Ａに表示される。
また、図８に示すように、ポップアップメニュー６０は、テレビジョン放送表示領域５６および案内表示領域４２の大部分を覆うように表示画面２４Ａに表示される。
言い換えると、ポップアップメニュー６０は、操作ボタン表示領域４４外の表示画面２４Ａの箇所に表示される。
【００３２】
ポップアップメニュー６０は、第１画面選択ボタン６２と、第２画面選択ボタン６４と、第３画面選択ボタン６６とを含む。
第１画面選択ボタン６２は、該第１画面選択ボタン６２を接触操作することで、第１画面Ｄ１を表示画面２４Ａに表示させるものである。
図６に示すように、第１画面選択ボタン６２は、第１画面Ｄ１に関連付けられたアイコン６２Ａおよび文字６２Ｂを有している。
具体的には、第１画面選択ボタン６２のアイコン６２Ａは地図４６上における自車両位置を示す矢印マーク４８（図３参照）をかたどっており、第１画面選択ボタン６２の文字６２Ｂは「地図」を表示している。
【００３３】
第２画面選択ボタン６４は、該第２画面選択ボタン６４を接触操作することで、第２画面Ｄ２を表示画面２４Ａに表示させるものである。
図７に示すように、第２画面選択ボタン６４は、第２画面Ｄ２に関連付けられたアイコン６４Ａおよび文字６４Ｂを有している。
第２画面選択ボタン６４のアイコン６４Ａはテレビジョン装置をかたどっており、第２画面選択ボタン６４の文字６４Ｂは「ワンセグ」と表示している。
【００３４】
第３画面選択ボタン６６は、該第３画面選択ボタン６６を接触操作することで、第３画面Ｄ３を表示画面２４Ａに表示させるものである。
図８に示すように、第３画面選択ボタン６６は、第３画面Ｄ３に関連付けられたアイコン６６Ａおよび文字６６Ｂを有している。
第３画面選択ボタン６６のアイコン６６Ａは、テレビジョン装置と車両の進行方向を示す矢印の双方をかたどっており、第３画面選択ボタン６６の文字６６Ｂは「ワンセグとガイド」を表示している。
【００３５】
なお、本実施の形態では、ポップアップメニュー６０は、さらに音楽選択ボタン６８を備えている。
音楽選択ボタン６８は、該音楽選択ボタン６８を接触操作することで、音楽の再生を行うためのものである。音楽選択ボタン６８を接触操作したのちの表示動作については本発明と関連しないため説明を省く。
【００３６】
次に、図９のフローチャートを参照してナビゲーション装置１０の動作について説明する。
ナビゲーション装置１０の電源が投入され、表示部２４の表示画面２４Ａに第１画面Ｄ１、第２画面Ｄ２、第３画面Ｄ３のうちの何れかが表示されている（ステップＳ１０）。
例えば、図３に示す第１画面Ｄ１が表示されているものとする。
ここで、制御部３４は、操作ボタン５４の何れかが接触操作されると、接触操作された操作ボタン５４に対応する動作を実行する。
また、制御部３４は、画面切り替えボタン５２が接触操作されたか否かを監視し（ステップＳ１２）、画面切り替えボタン５２が接触操作されたと判断すると、予め定められた順番で画面を切り替えて表示させる（ステップＳ１４）。
言い換えると、制御部３４は、画面切り替えボタン５２が接触操作される毎に、第１画面Ｄ１、第２画面Ｄ２、第３画面Ｄ３をこの順番で循環して切り替えて表示させる第１表示動作を実行する。
すなわち、第１画面Ｄ１が表示された状態で画面切り替えボタン５２が接触操作されると、制御部３４は第２画面Ｄ２に切り替えて表示する。また、第２画面Ｄ２が表示された状態で画面切り替えボタン５２が接触操作されると、制御部３４は第３画面Ｄ３に切り替えて表示する。また、第３画面Ｄ３が表示された状態で画面切り替えボタン５２が接触操作されると、制御部３４は第１画面Ｄ１に切り替えて表示する。
【００３７】
さらに制御部３４は、ステップＳ１４による画面の切り替えと同時に、図５、図６、図７に示すように、ポップアップメニュー６０を表示画面２４Ａに表示させる（ステップＳ１６）。
言い換えると、制御部３４は、第１表示動作と同時に第２表示動作を実行する。
第２表示動作は、第１画面Ｄ１、第２画面Ｄ２、第３画面Ｄ３のそれぞれを直接選択するための第１画面選択ボタン６２、第２画面選択ボタン６４、第３画面選択ボタン６６を含むポップアップメニュー６０を表示画面２４Ａに表示させる動作である。
【００３８】
さらに制御部３４は、ポップアップメニュー６０を表示する際、これら画面選択ボタン６２、６４、６６のうち、第１表示動作によって切り替えて表示させている画面に対応する画面選択ボタンを識別可能に表示する。言い換えると、第１表示動作によって切り替えて表示させている画面に対応する画面選択ボタンを表示画面２４Ａにフォーカス表示する。
この際、第１画面選択ボタン６２、第２画面選択ボタン６４、第３画面選択ボタン６６は、第１画面Ｄ１、第２画面Ｄ２、第３画面Ｄ３のそれぞれに関連付けられたアイコンおよび文字を含んでいる。
したがって、ポップアップメニュー６０によって表示画面２４Ａの大部分が覆われていても、ポップアップメニュー６０の背後に表示されている画面が何れの画面であるかが判りやすく操作性の向上が図られている。
また、第１画面選択ボタン６２、第２画面選択ボタン６４、第３画面選択ボタン６６を見ることで選択可能な画面の全てを即座に確認でき、操作性の向上が図られている。
【００３９】
なお、画面選択ボタンをフォーカス表示する方法は、例えば次のような方法が考えられる。
図６に示すように、第１画面Ｄ１にポップアップメニュー６０が表示された場合には、第１画面Ｄ１に対応する第１画面選択ボタン６２の背景色を、ハッチングで示すように、他の選択ボタン６４、６６、６８の背景色と異なる色に変化させる。
また、図７に示すように、第２画面Ｄ２にポップアップメニュー６０が表示された場合には、第２画面Ｄ２に対応する第２画面選択ボタン６４の背景色を、ハッチングで示すように、他の選択ボタン６２、６６、６８の背景色と異なる色に変化させる。
また、図８に示すように、第３画面Ｄ３にポップアップメニュー６０が表示された場合には、第３画面Ｄ３に対応する第３画面選択ボタン６６の背景色を、ハッチングで示すように、他の選択ボタン６２、６４、６８の背景色と異なる色に変化させる。
なお、画面選択ボタンをフォーカス表示する方法は、上述の方法に限定されるものではなく、画面選択ボタンを点滅表示する、あるいは、画面選択ボタンを囲む枠状のカーソルを表示するなど、従来公知の様々なフォーカス表示の方法が採用可能である。
【００４０】
次いで、制御部３４は、画面切り替えボタン５２が接触操作されたか否かを監視し（ステップＳ１８）、画面切り替えボタン５２が接触操作されたと判断すると、ステップＳ１４に移行して予め定められた順番で循環して画面を切り替えて表示させる。
したがって、使用者がステップＳ１８で画面切り替えボタン５２の操作を繰り返すと、第１画面Ｄ１、第２画面Ｄ２、第３画面Ｄ３がこの順番で循環して表示されることになる。
制御部３４は、ステップＳ１８で、画面切り替えボタン５２が接触操作されていないと判断するとステップＳ２０に移行する。より詳細には、所定時間画面切り替えボタン５２が接触操作されていないことをもって画面切り替えボタン５２が接触操作されていないと判断する。
【００４１】
ステップＳ２０に移行すると、制御部３４は、第１画面選択ボタン６２、第２画面選択ボタン６４、第３画面選択ボタン６６の何れかが接触操作されたか否かを監視する。
そして、画面選択ボタン６２、６４、６６に対する接触操作がなされていないと判断すると、ポップアップメニュー６０を非表示とし（ステップＳ２４）、ステップＳ１０に戻る。より詳細には、所定時間画面選択ボタン６２、６４、６６が接触操作されていないことをもって画面選択ボタン６２、６４、６６が接触操作されていないと判断する。
【００４２】
また、ステップＳ２０において、制御部３４は、第１画面選択ボタン６２、第２画面選択ボタン６４、第３画面選択ボタン６６の何れかが接触操作されたと判断されると、接触操作された画面選択ボタンに対応する画面を直ちに表示し（ステップＳ２２）、ステップＳ１０に戻る。
言い換えると、制御部３４は、第２表示動作で表示画面２４Ａに表示された各画面選択ボタン６２、６４、６６への接触操作に応じて第１画面Ｄ１、第２画面Ｄ２、第３画面Ｄ３のうちの１つの画面を選択して表示画面２４Ａに表示させる第３表示動作を行う。
【００４３】
したがって、図６に示すように、第１画面Ｄ１と共にポップアップメニュー６０が表示されている状態で、第２画面選択ボタン６４を接触操作すると、図４に示す第２画面Ｄ２が表示される。また、第３画面選択ボタン６６を接触操作すると図５に示す第３画面Ｄ３が表示される。また、第１画面選択ボタン６２を接触操作した場合はその操作は無効とされポップアップメニュー６０は非表示となる。
また、図７に示すように、第２画面Ｄ２と共にポップアップメニュー６０が表示されている状態で、第１画面選択ボタン６２を接触操作すると、図３に示す第１画面Ｄ１が表示される。また、第３画面選択ボタン６６を接触操作すると図５に示す第３画面Ｄ３が表示される。また、第２画面選択ボタン６４を接触操作した場合はその操作は無効とされポップアップメニュー６０は非表示となる。
また、図８に示すように、第３画面Ｄ２と共にポップアップメニュー６０が表示されている状態で、第１画面選択ボタン６２を接触操作すると、図３に示す第１画面Ｄ１が表示される。また、第２画面選択ボタン６４を接触操作すると図４に示す第２画面Ｄ２が表示される。また、第３画面選択ボタン６６を接触操作した場合はその操作は無効とされポップアップメニュー６０は非表示となる。
したがって、図６、図７、図８に示すように、表示画面２４Ａにポップアップメニュー６０が表示されている状態では、画面選択ボタン６２、６４、６６の何れかを接触操作することで所望の画面を直接選択して表示させることができる。
【００４４】
本実施の形態によれば、画面切り替えボタン５２の接触操作を行うことで、第１画面選択ボタン６２、第２画面選択ボタン６４、第３画面選択ボタン６６を含むポップアップメニュー６０が表示される。
したがって、それら画面選択ボタンから１つの画面選択ボタンを選択して接触操作することにより、所望の画面を直ちに表示させることができる。そのため、画面切り替えボタン５２の接触操作を繰り返すことで画面を予め決められた順番で循環して切り替えて表示させる場合に比較して操作性の向上を図る上で有利となる。
また、画面切り替えボタン５２の接触操作を行うことで画面が予め決められた順番で循環して切り替えて表示されると同時に、ポップアップメニュー６０が表示される。したがって、ポップアップメニュー６０を表示させるための特別な操作ボタンを別途設ける必要がなく、そのため特別な操作ボタンを操作する手間もかからないため操作性の向上を図る上で有利となる。
また、使用者は、画面切り替えボタン５２を繰り返し接触操作して画面を順次切り替える方法と、ポップアップメニュー６０を用いて画面を選択する方法との双方から好みに応じた方法を選択できるため、操作性の自由度を確保する上で有利となる。
【００４５】
また、本実施の形態では、第１画面Ｄ１、第２画面Ｄ２、第３画面Ｄ３の何れの画面においても、表示画面２４Ａにおける画面切り替えボタン５２の位置が固定されている。そのため、画面切り替えボタン５２を繰り返して操作するにあたっては、表示画面２４Ａをことさら注意深く視認する必要が無く、操作性の向上を図る上で有利となる。
【００４６】
なお、本実施の形態では、表示画面２４Ａに、第１画面Ｄ１、第２画面Ｄ２、第３画面Ｄ３の３つの画面が切り替えて表示される場合について説明した。しかしながら、本発明は表示画面２４Ａに４つ以上の画面が切り替えて表示される場合についても無論適用可能である。
【符号の説明】
【００４７】
１０……ナビゲーション装置、２４……表示部、２４Ａ……表示画面、２６……タッチパネル、３４……制御部、４４……操作ボタン表示領域、５２……画面切り替えボタン、Ｄ１……第１画面、Ｄ２……第２画面、Ｄ３……第３画面。
【図１】
2010173374.tif 000003
【図２】
2010173374.tif 000004
【図３】
2010173374.tif 000005
【図４】
2010173374.tif 000006
【図５】
2010173374.tif 000007
【図６】
2010173374.tif 000008
【図７】
2010173374.tif 000009
【図８】
2010173374.tif 000010
【図９】
2010173374.tif 000011